(57)【要約】【課題】対象となる作業機が多数ある場合でも、受光ができれば、作業機が置かれている位置に関係なく、各作業機に取り付けてバッテリーの過放電を防止するための充電が可能である充電器を提供する。【解決手段】充電器Ｃ１は、受光することで発電できるように構成された発電パネル１と、発電パネル１で発電した電力を、電動の移動式高所作業車４のバッテリーに供給する電力供給部と、発電パネル１を移動式高所作業車４が有する昇降台４１の縁部に形成されている立ち上げ部４２に着脱自在に取り付ける嵌合具３とを備えている。【選択図】図５
2015070066.tif 000002
【特許請求の範囲】
【請求項１】
受光することで発電できるように構成された発電パネルと、
該発電パネルで発電した電力を、電動の移動式高所作業車のバッテリーに供給する電力供給部と、
前記発電パネルを前記移動式高所作業車が有する昇降台の縁部に形成されている立ち上げ部に着脱自在に取り付ける取付手段とを備える
充電器。
【請求項２】
前記取付手段が、前記発電パネルに回動自在に取り付けられており、回動側の先端が前記発電パネルの受光面とは逆側の面に近付く方向へ付勢されている、前記立ち上げ部に嵌め込む嵌込具である
請求項１の充電器。
【請求項３】
前記嵌込具の、設置時において略上側となる箇所に、指を掛けて回動操作をするための突起部を有する
請求項２の充電器。
【請求項４】
前記取付手段が、前記発電パネルに角度調節自在に取り付けられ、前記立ち上げ部に先端を押し付ける締付ネジを有する、前記立ち上げ部に嵌め込む嵌込具である
請求項１の充電器。
【請求項５】
前記立ち上げ部に取り付けた際の前記発電パネルの水平方向に対する傾斜角度を調節する角度調節手段を有する
請求項１、２、３又は４の充電器。
【請求項６】
電動の移動式高所作業車と、
受光することで発電できるように構成された発電パネルと、該発電パネルで発電した電力を前記移動式高所作業車のバッテリーに供給する電力供給部と、前記発電パネルを前記移動式高所作業車が有する昇降台の縁部に形成されている立ち上げ部に着脱自在に取り付ける取付手段を有する充電器とを備える
充電器付き移動式高所作業車。
【請求項７】
受光することで発電できるように構成された発電パネルと、
該発電パネルで発電した電力を作業機のバッテリーに供給する電力供給部と、
前記発電パネルを前記作業機が有する取付対象部に着脱自在に取り付ける取付手段とを備える
充電器。
【請求項８】
保管されている電動式の移動式高所作業車のバッテリーに、受光することで発電できるように構成された発電パネルを有する充電器を接続する工程と、
受光することで前記発電パネルで発電した電力を、前記充電器から前記移動式高所作業車のバッテリーに供給して、前記バッテリーが過放電をしないように充電を行う工程とを備える
移動式高所作業車のバッテリーの過放電を防止する方法。
【発明の詳細な説明】
【技術分野】
【０００１】
本発明は、充電器、充電器付き移動式高所作業車及び移動式高所作業車のバッテリーの過放電を防止する方法に関するものである。更に詳しくは、例えば休止状態で保管されている移動式高所作業車等の作業機のバッテリーが過放電しないように充電をする充電器、充電器付き移動式高所作業車及び移動式高所作業車のバッテリーの過放電を防止する方法に関する。
【背景技術】
【０００２】
例えば、ビル建築の電気、空調等の各種設備工事、或いはスタジオ、舞台、イベントなどの展示、設営、室内装飾等を行うためレンタルされる電動の移動式高所作業車は、ある期間中に多くの台数が集中して使用されることが多く、休止期間中はレンタル会社の敷地内（通常は屋外）で並べられて保管されている。
【０００３】
この場合、作業車の休止期間が長くなると、駆動用のバッテリーが過放電して作業車が動かなくなる事態が生じ、使用者にレンタルする際に、充電や高価なバッテリーの交換が必要になる等、作業が煩雑になり、無駄な経費がかかってしまうことがあった。また、バッテリーの過放電は、バッテリーの性能を低下させ、寿命を縮めてしまう要因ともなっていた。このような、休止中の作業車のバッテリーの過放電を防止するものとしては、例えば特許文献１に開示された「農舎における太陽光発電システム」がある。
【０００４】
上記従来の「農舎における太陽光発電システム」は、太陽電池モジュールで発電した電力を、農舎に備え付けの電気機器に電力を供給する第１バッテリーと、農舎に格納されている作業車両に搭載した第２バッテリーとに切替え充電する充電切替え手段を設けたものであり、太陽電池モジュールで発電した電力を農舎に備え付けの電気機器に供給すると共に、農舎に格納されている農業用作業車両のバッテリーにも太陽電池モジュールで発電した電力を充電できるというものである。
【先行技術文献】
【特許文献】
【０００５】
【特許文献１】特開２００４−１７３３７８号公報
【発明の概要】
【発明が解決しようとする課題】
【０００６】
しかしながら、上記従来の太陽光発電システムには、次のような課題があった。
すなわち、このシステムは、もともと、上記したようなレンタル会社で取り扱われる作業機のように、作業機が多数あることを想定しているわけではない。したがって、対象となる作業機が多数ある場合、このシステムで各作業機のバッテリーに対し充電をするためには、現実的には必要な電力量を確保することが難しく、また、作業機を農舎内の決まった場所に置く必要がある等の制約があり、対応が困難であった。
【０００７】
本発明は、以上の点に鑑みて創案されたものであり、例えばレンタル会社で取り扱われる作業機のように、対象となる作業機が多数ある場合でも、受光ができれば、作業機が置かれている位置に関係なく、各作業機に取り付けてバッテリーの過放電を防止するための充電が可能である充電器、充電器付き移動式高所作業車及び移動式高所作業車のバッテリーの過放電を防止する方法を提供することを目的とする。
【課題を解決するための手段】
【０００８】
（１）本発明は、受光することで発電できるように構成された発電パネルと、該発電パネルで発電した電力を、電動の移動式高所作業車のバッテリーに供給する電力供給部と、前記発電パネルを前記移動式高所作業車が有する昇降台の縁部に形成されている立ち上げ部に着脱自在に取り付ける取付手段とを備える充電器である。
【０００９】
（２）本発明は、前記取付手段が、前記発電パネルに回動自在に取り付けられており、回動側の先端が前記発電パネルの受光面とは逆側の面に近付く方向へ付勢されている、前記立ち上げ部に嵌め込む嵌込具である構成とすることもできる。
【００１０】
この場合、発電パネルを昇降台の上面側に位置させ、嵌込具を立ち上げ部に嵌め込む際に、嵌込具を発電パネルの受光面とは逆側の面から離れる方向へ付勢力に抗して回動させて嵌め込むようにすると、嵌込具は立ち上げ部に嵌め込まれ、立ち上げ部を噛むようにして一方に押し付けられ、発電パネルの先端部は昇降台上面に押し付けられて、力が釣り合った状態で停止し、これにより充電器は昇降台にセットできる。
また、充電器のセット後において、例えば屋外の強い風で発電パネルが浮き上がろうとしても、発電パネルが上昇回動しようとする動きは上記付勢力に抗することになるので、浮き上がりによって発電パネルが外れたりバタついたりすることを防止できる。
【００１１】
（３）本発明は、前記嵌込具の、設置時において略上側となる箇所に、指を掛けて回動操作をするための突起部を有する構成とすることもできる。
【００１２】
この場合、例えば移動式高所作業車が密に並べて保管されており、隣り合う作業車の昇降台が近接し、昇降台の縁にある立ち上げ部同士も近接している状態でも、突起部に指を掛ける嵌込具の回動操作を、操作の邪魔にならない立ち上げ部の上方のスペースを利用して行うことができるので、充電器のセットを無理なく簡単に行うことができる。
【００１３】
（４）本発明は、前記取付手段が、前記発電パネルに角度調節自在に取り付けられ、前記立ち上げ部に先端を押し付ける締付ネジを有する、前記立ち上げ部に嵌め込む嵌込具である構成とすることもできる。
【００１４】
この場合、嵌込具を立ち上げ部に嵌め込み、締付ネジを締め付けてその先端を押し付けることにより、この締め付け力によって、嵌込具を立ち上げ部に強固に固定することができ、発電パネルを昇降台上面に載るように適当な角度に設定することによって、充電器のセットをより確実に行うことができる。
【００１５】
（５）本発明は、前記立ち上げ部に取り付けた際の前記発電パネルの水平方向に対する傾斜角度を調節する角度調節手段を有する構成とすることもできる。
【００１６】
この場合、例えば移動式高所作業車が屋外にて保管されているときに、光源となる太陽の高度は季節により異なるが、角度調節手段により発電パネルの水平方向に対する傾斜角度を太陽の高度に合わせて調節することが可能になり、受光面全体で受ける光の量をできる限り多くして（又は光の密度をできるだけ高くして）、より高効率で発電できる状態で充電器をセットすることが可能になる。
【００１７】
（６）本発明は、電動の移動式高所作業車と、受光することで発電できるように構成された発電パネルと、該発電パネルで発電した電力を前記移動式高所作業車のバッテリーに供給する電力供給部と、前記発電パネルを前記移動式高所作業車が有する昇降台の縁部に形成されている立ち上げ部に着脱自在に取り付ける取付手段を有する充電器とを備える充電器付き移動式高所作業車である。
【００１８】
（７）本発明は、受光することで発電できるように構成された発電パネルと、該発電パネルで発電した電力を作業機のバッテリーに供給する電力供給部と、前記発電パネルを前記作業機が有する取付対象部に着脱自在に取り付ける取付手段とを備える充電器である。
【００１９】
（８）本発明は、保管されている電動式の移動式高所作業車のバッテリーに、受光することで発電できるように構成された発電パネルを有する充電器を接続する工程と、受光することで前記発電パネルで発電した電力を、前記充電器から前記移動式高所作業車のバッテリーに供給して、前記バッテリーが過放電をしないように充電を行う工程とを備える移動式高所作業車のバッテリーの過放電を防止する方法である。
【００２０】
本明細書及び特許請求の範囲にいう「発電パネル」は、パネルの表面に多数の太陽電池（セル）を配置した構造を有する。或いは、太陽電池モジュール（太陽電池パネル）単体の場合もあるし、太陽電池モジュールをパネルに装着した構造である場合もある。また、パネルの形状（外形）は、特に限定せず、例えば四角形、円形等、各種形状が選択できる。
【００２１】
本明細書及び特許請求の範囲にいう「電力供給部」は、例えば電力供給部に直接つながれたケーブル、或いはケーブルをつなぐコネクタ等を含むものであるが、これらに限定はされない。
また、本明細書及び特許請求の範囲にいう「取付手段」は、立ち上げ部や取付対象部に着脱が自在な構造であれば、特に限定するものではない。例えば、樹脂バンド等、巻き締めを利用したもの、永久磁石や電磁石等、磁力を利用したもの、差し込み、嵌め込み、締め付け、或いは挟み込みを利用したもの等、各種公知手段が採用できる。
【００２２】
本明細書及び特許請求の範囲にいう「角度調節手段」は、例えば発電パネルの、立ち上げ部や取付対象部に対し取り付ける側の端部を他方側が昇降回動できるように軸着し、他端側の高さを調節具で調整して角度を変える構造、或いは上記取り付ける側の端部を長さ調節具を介して、立ち上げ部や取付対象部に取り付け、それとの間隔を調節できるようにして角度を変える構造等であるが、これらに限定するものではない。
【００２３】
本明細書及び特許請求の範囲にいう「作業機」としては、例えばフォークリフトや移動式高所作業車等のようにバッテリーを駆動用の電源とするものの他、自家発電機や草刈機等の各種農業機械、或いはバックホー等の建設作業機械のようにバッテリーを始動用の電源として使用し、始動後は、エンジンの運転により作業を行うものも含む。また、作業機は、上記各作業車や機械のように、自身が移動し、或いは走行しながら仕事（作業）を行うものと、上記自家発電機のように、移動は可能であっても、主に据え置き状態で仕事を行うものを含む。
【００２４】
（作用）
本発明の充電器の作用を説明する。
充電器は、取付手段を介し移動式高所作業車が有する昇降台の縁部に形成されている立ち上げ部に着脱自在に取り付けられる。発電パネルが有する受光面は、太陽光や電灯光等を受光できるように、その光源の方向（通常は上方向）に向けられている。電力供給部を構成するケーブル等を移動式高所作業車のバッテリーに接続し、セット状態とする。
【００２５】
そして、発電パネルによって受光することで発電し、その電力をバッテリーに供給し、充電する。実際の使用では、移動式高所作業車等の作業機のバッテリーを、作業機を休止する時点で商用電源によって満充電状態としておき、その後、充電器を接続し、バッテリーの自然放電分を逐次充電することで満充電状態を維持するようにするのが好ましい。
このように、本発明の充電器によれば、対象となる作業機が多数ある場合でも、受光ができれば、作業機が置かれている位置に関係なく、各作業機に取り付けてバッテリーの過放電を防止することができる。また、充電器は必ずしも作業機の台数分用意する必要はなく、いわゆる使い回しができる利点もある。
【００２６】
また、電動の移動式高所作業車と、上記充電器とを備える充電器付き移動式高所作業車は、移動式高所作業車が休止している時のバッテリーの過放電を防止する作用効果に加えて、例えば屋外の使用においては、逐次バッテリーを充電することが可能になるので、多少とも移動式高所作業車の駆動時間を延ばすことができる利点がある。
【発明の効果】
【００２７】
本発明は、例えばレンタル会社で取り扱われる作業機のように、対象となる作業機が多数ある場合でも、受光ができれば、作業機が置かれている位置に関係なく、各作業機に取り付けてバッテリーの過放電を防止するための充電が可能である充電器、充電器付き移動式高所作業車及び移動式高所作業車のバッテリーの過放電を防止する方法を提供することができる。
【図面の簡単な説明】
【００２８】
【図１】本発明に係る充電器の第１実施の形態を示す受光面側から視た斜視図である。
【図２】図１に示す充電器の裏面側から視た斜視図である。
【図３】図１に示す充電器の側面視説明図である。
【図４】充電器を嵌込具で立ち上げ部に取り付けた状態を示す説明図である。
【図５】充電器を移動式高所作業車の昇降台にセットした状態を示す説明図である。
【図６】本発明に係る充電器の第２実施の形態を示し、（ａ）は角度調節具の構造を示す説明図、（ｂ）は角度の調節方法を示す説明図である。
【図７】本発明に係る充電器の第３実施の形態を示す説明図である。
【発明を実施するための形態】
【００２９】
本発明を図面に示した実施の形態に基づき詳細に説明する。
図１、図２及び図３を参照する。
充電器Ｃ１は、受光することで発電できるように構成された発電パネル１と、発電パネル１で発電した電力を、電動の移動式高所作業車４のバッテリー４０に供給する電力供給部２と、発電パネル１を移動式高所作業車４が有する昇降台４１の縁部に形成されている立ち上げ部４２に着脱自在に取り付ける嵌込具３を有している。充電器Ｃ１は、全体に防水機能を有しており、屋外での使用時、雨に降られても支障のないようにしている。
【００３０】
発電パネル１は、外形が長方形状の太陽電池モジュール１０を有している。太陽電池モジュール１０は、樹脂製で長方形状の基板１０１と、基板１０１の表面１０２のほぼ全面に多数並べて取り付けられている太陽電池１０３を有している。太陽電池１０３が配置されている面が受光面となる。なお、各太陽電池１０３の保護のため、受光面を強化ガラス等で覆うこともできる。
太陽電池モジュール１０の周縁部には、断面コ字形状の補強フレーム１１が基板１０１の裏面１０４側へ張り出し、開放側を内方へ向けて全周にわたり形成されている。補強フレーム１１の四箇所の角部には、ゴム製のカバー１２が装着されている。各カバー１２は、充電器Ｃ１を取り扱う際に、作業者に危険がないように、安全のために装着されている。
【００３１】
補強フレーム１１は、短尺側の前部フレーム１１５と後部フレーム１１３及び長尺側の両側部フレーム１１７、１１８を有している。基板１０１の表面１０２は、周囲の補強フレーム１１の表面１１１よりやや凹むように形成されている。表面１１１より一段低くなった表面１０２に、上記のように太陽電池１０３を取り付けることで、充電器Ｃ１の取り扱い時に、太陽電池１０３が他に接触しにくいようにして、破損を防止している。また、補強フレーム１１の後部フレーム１１３の裏面１１２には、両端寄りの二箇所にゴム製のクッション１１４が取り付けられている。
【００３２】
基板１０１の裏面１０４には、補強フレーム１１の前部フレーム１１５に近接する位置に、電力供給部２が取り付けられている。電力供給部２は、基板１０１に固定されている給電ボックス２０と、給電ボックス２０のコネクタ（図示省略）に接続されている陽極と陰極の二本の給電ケーブル２１、２２を有している。給電ボックス２０は、各太陽電池１０３で発電された電力を集約してコネクタへ供給する。なお、給電ボックス２０は、電流の逆流を防止する機能を有している。また、給電ボックス２０又は発電パネル１等にLED等の表示灯（図示省略）を設けて、作動状態が分かるようにすることもできる。
給電ケーブル２１、２２は、充電器Ｃ１を昇降台４１にセットしたときに、移動式高所作業車４のバッテリー４０の各電極ポスト（符号省略）に接続できる充分な長さを有し、それぞれの先端部には、接続金具２３（図５参照）が取り付けられている。本実施の形態では、接続金具２３に、短絡回避のため、全被覆型ワニ口クリップを採用している。
【００３３】
前部フレーム１１５の中間部には、金属製の嵌込具３が蝶番３０を介し取り付けられている。
蝶番３０の一方のプレート３０１と他方のプレート３０２は、ねじりコイルバネ３０３によって、所要の回動方向（後述する）に付勢されている。蝶番３０のプレート３０１は、プレート３０２を前部フレーム１１５の裏面１１２側に位置させて、前部フレーム１１５の前面１１６にネジ止めにより固定されている。また、プレート３０２には、上記嵌込具３が背板３１をネジ止めして固定されている。
【００３４】
嵌込具３は、上記背板３１と、その両端に互いに平行になるように設けられた噛み板３２、３３を有している。噛み板３２、３３と背板３１の内面には、ゴム製のカバー３４が接着されている。カバー３４の両端側の一部は、噛み板３２、３３の外面側へ回して接着されている。また、背板３１の外面側には、固定されたプレート３０２からやや外れた位置に、突起部である指掛け具３５が固定されている。嵌込具３は、蝶番３０のねじりコイルバネ３０３による付勢力で付勢され、常態では一方の噛み板３２が前部フレーム１１５の裏面１１２に当接している状態で止まっている（図２、図３参照）。
【００３５】
なお、嵌込具３の寸法は、様々な型式の移動式高所作業車の昇降台の立ち上げ部に対応できるように形成されており、本実施の形態においては、外寸で、背板３１の長さ６３ｍｍ、両噛み板３２、３３の長さ８５ｍｍであり、各板の幅９０ｍｍ、板厚３ｍｍであるが、これらに限定されるものではない。
【００３６】
（作用）
図１ないし図５を参照して、充電器Ｃ１の作用について説明する。
なお、この説明では、充電の対象となる休止中の移動式高所作業車４が、屋外において保管される場合を例に採り説明するが、照明の光量が充分であれば、移動式高所作業車４を屋内に置いて充電することもできる。
【００３７】
充電器Ｃ１は、嵌合具３を介し移動式高所作業車４が有する昇降台４１の縁部に形成されている立ち上げ部４２に着脱自在に取り付けられる。詳しくは、発電パネル１を受光面（太陽電池１０３が配置されている側）を上に向けて昇降台４１上に配置し、この状態で指掛け具３５に指を掛けて嵌合具３を付勢力に抗して回動させ（図３参照）、嵌合具３を立ち上げ部４２に上から嵌め込むようにする。
【００３８】
これによると、例えば図５に示すように、スペース効率を良くするため、多数の移動式高所作業車４を密に並べて保管する場合のように、隣り合う移動式高所作業車４同士が近接し、各昇降台４１の立ち上げ部４２の間に空間の余裕がなくても、比較的容易に嵌合具３の立ち上げ部４２に対する嵌め込みが可能である。
【００３９】
そして、指掛け具３５から指を外して付勢力を開放すると、図４に示すように嵌合具３は矢印方向へ回動しようとして、噛み板３２、３３で立ち上げ部４２を噛むようにして一方に押し付けられると共に、発電パネル１の先端部にある各クッション１１４は昇降台４１上面に押し付けられて、力が釣り合った状態で停止する。このようにして、充電器Ｃ１は、強固とはいえないまでも必要充分な固定力を以て昇降台４１にセットすることができる。なお、充電器Ｃ１は、取り付けの方向性は特にないので、昇降台４１の各立ち上げ部４２（通常は四辺に形成されている）のどの部分にも取り付けることが可能である。
【００４０】
充電器Ｃ１は、このように発電パネル１が昇降台４１に押し付けられる方向（図４で右周り方向）に付勢されているので、例えば強風が吹いたとき、その風圧で発電パネル１が浮き上がろうとしても、蝶番３０のねじりコイルバネ３０３の付勢力でそれを防止できる。また、発電パネル１の浮き上がりによって発電パネル１が外れたりバタついたりすることを防止できる。最後に給電ケーブル２１、２２を移動式高所作業車４のバッテリー４０に接続し、セット状態とする。
本実施の形態では、バッテリー４０は駆動用であるため２４Ｖ仕様であるが、１２Ｖ仕様等、作業車の他の仕様のバッテリーに対して充電するようにしてもよい。
【００４１】
充電器Ｃ１は、発電パネル１の多数の太陽電池１０３によって受光することで発電し、その電力を移動式高所作業車４のバッテリー４０に供給し、充電する。実際の使用では、移動式高所作業車４のバッテリー４０を、移動式高所作業車４を休止する時点で商用電源によって満充電状態としておき、その後、充電器Ｃ１を接続し、バッテリー４０の自然放電分を逐次充電することで満充電状態を維持するようにするのが、充電器Ｃ１の能力的には好ましい。
【００４２】
このように、保管されている電動式の移動式高所作業車４のバッテリー４０に、受光することで発電できるように構成された発電パネル１を有する充電器Ｃ１を接続し、発電パネル１で発電した電力を充電器Ｃ１から移動式高所作業車４のバッテリー４０に供給して、バッテリー４０の充電を逐次行うことにより、移動式高所作業車４のバッテリー４０の過放電を防止することができる。
【００４３】
これにより、例えば建設機械等の作業機のレンタルをする会社において、多数の移動式高所作業車４を上記のように保管・管理することにより、使用者にレンタルする際、移動式高所作業車４がバッテリー４０の過放電により動かないという事態は生じにくく、このような理由によるバッテリーの充電や交換等の煩雑な手間も不要になり、あわせて過放電によるバッテリーの性能を低下や寿命を縮めてしまうことを防止できる。また、充電器Ｃ１は必ずしも移動式高所作業車４の台数分を用意する必要はなく、いわゆる使い回しができるので、経費を抑えることができる利点がある。
【００４４】
また、図５に示すような、移動式高所作業車４と充電器Ｃ１とを備える充電器付き移動式高所作業車は、移動式高所作業車４が休止している時の上記のようなバッテリー４０の過放電を防止する作用効果に加えて、例えば屋外の使用においては、逐次バッテリー４０を充電することが可能になるので、多少とも移動式高所作業車４の駆動時間を延ばすことができる利点がある。
【００４５】
図６を参照する。
充電器Ｃ２は、上記充電器Ｃ１に角度調節手段を備えた構造である。なお、図６において、充電器Ｃ１と同一又は同等箇所には同一の符号を付して示し、構造について重複する説明は省略する。
【００４６】
充電器Ｃ２は、補強フレーム１１の側部フレーム１１７、１１８の側面（符号省略）に、それぞれ四箇所に所要の間隔で調整孔ｈ１、ｈ２、ｈ３、ｈ４が形成されている。調整孔は、後部フレーム１１３に近い側から順に調整孔ｈ１、ｈ２、ｈ３、ｈ４となっている。側部フレーム１１７、１１８の調整孔ｈ１とｈ１、調整孔ｈ２とｈ２、調整孔ｈ３とｈ３及び調整孔ｈ４とｈ４は、それぞれ側部フレーム１１７、１１８の後端から等距離位置に形成されている（図６（ａ）参照）。
【００４７】
調整孔ｈ１とｈ１、調整孔ｈ２とｈ２、調整孔ｈ３とｈ３及び調整孔ｈ４とｈ４には、金属製の線材（例えば直径３ｍｍ程度）を曲げて形成された調整支脚１３が取り付けられて使用される。調整支脚１３は、間隔がやや狭いコ字形状に曲げられた脚部１３０と、その両端から外側へほぼ直角に、且つ共に同一直線上に位置するように曲げられた腕部１３１、１３２を有している。腕部１３１、１３２の各先端部は、小さくクランク状に曲げられ、各先端１３３は、上記調整孔ｈ１、ｈ２、ｈ３、ｈ４に差し込まれる。
【００４８】
そして、上記充電器Ｃ１と同様に移動式高所作業車４の昇降台４１にセットした後、調整支脚１３の腕部１３１、１３２の先端１３３を調整孔ｈ１とｈ１に、線材の付勢力を利用して差し込み、脚部１３０を後部フレーム１１３の内辺部に当てるようにし、脚部１３０先端で支えるようにすると、発電パネル１の傾斜角が最も小さい角度状態Ｌ１でセットできる（図６（ｂ）参照）。調整支脚１３の腕部１３１、１３２の先端１３３を調整孔ｈ２とｈ２に差し込み、同様に脚部１３０先端で支えるようにすると、発電パネル１の傾斜角が二番目に小さい角度状態Ｌ２でセットできる。
【００４９】
また、調整支脚１３の腕部１３１、１３２の先端１３３を調整孔ｈ３とｈ３に差し込み、同様に脚部１３０先端で支えるようにすると、発電パネル１の傾斜角が三番目に小さい角度状態Ｌ３でセットできる。更に、調整支脚１３の腕部１３１、１３２の先端１３３を調整孔ｈ４とｈ４に差し込み、脚部１３０の先部を後部フレーム１１３の内側に収めて収納状態とし、クッション１１４で支えるようにすると、発電パネル１の傾斜角が最も大きい角度状態Ｌ４、つまり上記充電器Ｃ１と同じ状態でセットできる。
【００５０】
これによれば、例えば移動式高所作業車４が屋外にて保管されている場合、光源となる太陽の高度は季節により異なるが、角度調節手段を構成する調整支脚１３で発電パネル１の水平方向に対する傾斜角度を太陽の高度に合わせて、最も好適な角度となるよう調節することにより、受光面全体で受ける光の量をできる限り多くして、より高効率で発電できる状態で充電器Ｃ２をセットすることが可能になる。
【００５１】
図７を参照する。
充電器Ｃ３は、上記充電器Ｃ１の嵌合具３の代替として、ネジ締め式の取付手段を備えた構造である。なお、図７において、充電器Ｃ１と同一又は同等箇所には同一の符号を付して示し、構造について重複する説明は省略する。
【００５２】
充電器Ｃ３の嵌合具３ａは、蝶番３０を介し、上記充電器Ｃ１の嵌込具３と同様に取り付けられている。嵌合具３ａの噛み板３３の中央部には通孔（図示省略）が開けられ、噛み板３３の外面側には、ナット３６がネジ孔（図示省略）を上記通孔に合わせて固着されている。ナット３６のネジ孔には、ネジ３７０のヘッド３７１が蝶形で先端に円形の押圧板３７２が取り付けられた締付ネジ３７が螺合されている。
【００５３】
この充電器Ｃ３は、嵌込具３ａを立ち上げ部４２に嵌め込み、締付ネジ３７を締め付けて押圧板３７２を立ち上げ部４２に強く押し付けて、押圧板３７２と噛み板３２で立ち上げ部４２を強く挟むことにより、嵌合具３ａを立ち上げ部４２に強固に固定することができる。
そして、発電パネル１を昇降台４１の上面に載るように適当な角度に設定することによって、充電器Ｃ３をより確実にセットすることができる。
【００５４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００５５】
Ｃ１  充電器
１  発電パネル
１０  太陽電池モジュール
１０１  基板
１０２  表面
１０３  太陽電池
１０４  裏面
１１  補強フレーム
１１１  表面
１１２  裏面
１１３  後部フレーム
１１４  クッション
１１５  前部フレーム
１１６  前面
１１７、１１８  側部フレーム
１２  カバー
２  電力供給部
２０  給電ボックス
２１、２２  給電ケーブル
２３  接続金具
３  嵌込具
３０  蝶番
３０１  プレート
３０２  プレート
３０３  ねじりコイルバネ
３１  背板
３２、３３  噛み板
３４  カバー
３５  指掛け具
４  移動式高所作業車
４０  バッテリー
４１  昇降台
４２  立ち上げ部23
Ｃ２  充電器
ｈ１、ｈ２、ｈ３、ｈ４  調整孔
１３  調整支脚
１３０  脚部
１３１、１３２  腕部
１３３  先端
Ｌ１、Ｌ２、Ｌ３、Ｌ４  角度状態
Ｃ３  充電器
３ａ  嵌合具
３６  ナット
３７  締付ネジ
３７０  ネジ
３７１  ヘッド
３７２  押圧板
【図１】
2015070066.tif 000003
【図２】
2015070066.tif 000004
【図３】
2015070066.tif 000005
【図４】
2015070066.tif 000006
【図５】
2015070066.tif 000007
【図６】
2015070066.tif 000008
【図７】
2015070066.tif 000009